(57)【要約】【課題】  管理用の札が複数個のグループで隣接して配置される場合であっても、各グループ毎の札のデータを正確に読取ることを可能とした札管理システム及び無線タグ内蔵札収納装置を提供する。  【解決手段】  複数の札の各々には各札固有のデータが格納された札用無線タグが組み込まれており、前記複数の札を収納するフォルダと、前記フォルダの設置位置固有のデータが格納されている位置用無線タグと、前記位置用無線タグと前記札用無線タグの各々に格納されている前記データを一括で読取るリーダライタとを具備することを特徴とする。【選択図】  図１
2006344157.tif 000002
【特許請求の範囲】
【請求項１】
複数の札の各々には各札固有のデータが格納された札用無線タグが組み込まれており、前記複数の札を収納するフォルダと、前記フォルダの設置位置固有のデータが格納されている位置用無線タグと、前記位置用無線タグと前記札用無線タグの各々に格納されている前記データを一括で読取るリーダライタとを具備することを特徴とする札管理システム。
【請求項２】
前記位置用無線タグは前記フォルダに組み込まれていることを特徴とする請求項１記載の札管理システム。
【請求項３】
前記位置用無線タグは前記フォルダ内に収納される位置固有札に組み込まれていることを特徴とする請求項１記載の札管理システム。
【請求項４】
前記フォルダの底面には、前記フォルダの前面に平行に傾斜が形成されており、前記札は前記フォルダ内に前面からずれて挿入されるように構成されていることを特徴とする請求項１乃至３のいずれか１に記載の札管理システム。
【請求項５】
前記傾斜は階段状ステップであることを特徴とする請求項４記載の札管理システム。
【請求項６】
上端が開口しているフォルダであって、このフォルダの底面にはこのフォルダの前面と平行に傾斜が形成され、前記傾斜上には無線タグが組み込まれた札が載置される如く構成されていることを特徴とする無線タグ内蔵札収納装置。
【請求項７】
前記傾斜は階段状ステップであることを特徴とする請求項６記載の無線タグ内蔵札収納装置。
【発明の詳細な説明】
【技術分野】
【０００１】
本発明は、複数のグループ毎に集積されている札を管理する札管理システム及び無線タグ内蔵札収納装置に関する。
【背景技術】
【０００２】
所定のグループ毎に札を掛けて管理することの一つに、工場あるいは作業現場内の安全保持のため、操作禁止札の利用が知られている。例えば、工場内等の電気配線に付設される配電用遮断器の誤操作を防止するため、この遮断器の前面に操作禁止札を吊るすことが一般的である(特許文献１参照)。操作禁止札には、遮断器が断となっていることを前提として操作を禁止する旨の表示とともに、作業者、すなわち札を吊るした者の所属会社名、作業者の氏名等が表示されている
また、同一の遮断器の断の状態を前提に作業する者は一人だけではなく、この遮断器に関連する他の複数箇所で作業を行う場合がある。この場合には、同一の遮断器に他の作業者の操作禁止札が吊るされることになる。一箇所に３〜５個程度の操作禁止札が吊るされることもしばしばである。
【０００３】
この操作禁止札は、当該場所で作業を行う作業者の安全を確保するためとともに、作業現場の施設安全管理責任者にとって、現場を巡回し各所の操作禁止札が計画通りに吊るされているかを確認しなければならない。この場合、施設安全管理者は、目視でチェックすることになるが、一箇所に複数の操作禁止札が吊るされている際には、この確認・チェックに多大の労力を要するとともに、チェック漏れの危険が懸念されることになる。
【０００４】
例えば、図１１(ａ)に正面図、図１１(ｂ)に側面図にて示すように操作禁止札１１の上端には吊るし紐１２が設けられており、表面には操作禁止マーク１３が表記されている。更に、作業員の所属会社（株）名ＡＡＡ１４、作業者氏名１５が記載されている。
【０００５】
このような構成の操作禁止札１１は、図１２に示すように互いに隣接した位置に例として第１遮断器１７ａ、第２遮断器１７ｂ、第３遮断器１７ｃの３個の遮断器が設置されており、それぞれの下方あるいは遮断器前面に設けられた第１〜第３フック１８ａ、１８ｂ、１８ｃに吊るされる。図１２では各フック１８ａ、１８ｂ、１８ｃにはそれぞれ３個の操作禁止札１１が図のように吊るされており、各フックの操作禁止札１１を図のように、Ａグループ、Ｂグループ、Ｃグループと称する。遮断器にも種々のタイプがあるが、例えば隣接する遮断器の中心間距離は１５０ｍｍ〜２００ｍｍ、側面間の間隔は５０ｍｍが平均的である。
【０００６】
この場合、図１２に示すように、各フック１８ａ、１８ｂ、１８ｃにそれぞれ操作禁止札１１を３個吊るすと、Ａ、Ｂ、Ｃグループ内の操作禁止札１１は互いに重なり合うことになるが、更に、各グループ間の操作禁止札１１も互いに重なり合うことになる。
【０００７】
先にも述べたように、現場の施設安全管理責任者は操作禁止札が適正に設置、管理されているか否かをチェック監督する責任があり、そのために巡回点検を行うことになる。
【０００８】
このとき、操作禁止札の確認はＡグループ、Ｂグループ、Ｃグループ毎、すなわち遮断器毎に吊るされている操作禁止札１１のデータを区別して目視で読取らなければならない。この結果、互いに重なりあっている同一グループ内の札においては、前面の札に隠れた札のデータを読み落としたり、隣接する札においては本来のグループとは異なるグループの札と誤認してしまうなど、不正確な読取りがなされることになり、安全確認に重大な問題を生じさせてしまうことになる。
【０００９】
以上は、複数の操作禁止札の管理を例に説明したが、他のいわゆる各種管理用の札に類する事例においても同様な問題が発生する。
【特許文献１】実開平２−４７６８０号公報
【発明の開示】
【発明が解決しようとする課題】
【００１０】
本発明は、管理用の札が複数個のグループで隣接して配置される場合であっても、各グループの札のデータを誤認することなく正確に読取ることを可能とした札管理システム及び無線タグ内蔵札収納装置を提供することを目的とする。
【課題を解決するための手段】
【００１１】
本発明に係わる札管理システムは、複数の札の各々には各札固有のデータが格納された札用無線タグが組み込まれており、前記複数の札を収納するフォルダと、前記フォルダの設置位置固有のデータが格納されている位置用無線タグと、前記位置用無線タグと前記札用無線タグの各々に格納されている前記データを一括で読取るリーダライタとを具備することを特徴とする。
【００１２】
本発明に係わる札管理システムは、前記複数の札の上端には札毎に異なる位置にタブが設けられており、前記札用無線タグの位置は前記複数の札毎に異なる位置に組み込まれていることを特徴とする。
【００１３】
本発明に係わる札管理システムは、前記位置用無線タグは前記フォルダに組み込まれていることを特徴とする。
【００１４】
本発明に係わる札管理システムは、前記位置用無線タグは前記フォルダ内に収納される位置固有札に組み込まれていることを特徴とする。
【００１５】
本発明に係わる札管理システムは、前記フォルダの底面には、前記フォルダの前面に平行に傾斜が形成されており、前記札は前記フォルダ内に前面からずれて挿入されるように構成されていることを特徴とする。
【００１６】
本発明に係わる札管理システムは、前記傾斜は階段状ステップであることを特徴とする
本発明に係わる札管理システムは、前記札は操作禁止札であることを特徴とする。
【００１７】
本発明に係わる無線タグ内蔵札収納装置は、上端が開口しているフォルダであって、このフォルダの底面にはこのフォルダの前面と平行に傾斜が形成され、前記傾斜上には無線タグが組み込まれた札が載置される如く構成されていることを特徴とする。
【００１８】
本発明に係わる無線タグ内蔵札収納装置は、前記傾斜は階段状ステップであることを特徴とする。
【００１９】
本発明に係わる無線タグ内蔵札収納装置は、前記札は操作禁止札であることを特徴とする。
【発明の効果】
【００２０】
管理用の札が複数個のグループで隣接して配置される場合であっても、各グループの札のデータを誤認することなく正確に読取ることが可能となった。
【発明を実施するための最良の形態】
【００２１】
本発明に係る実施形態につき図を参照して説明する。図１は本発明の一実施形態を構成する札を示す図である。図９と重複する箇所は詳細な説明は省略する。すなわち、札の例として操作禁止札を用いて説明するが、操作禁止札１１には、表記されている工事を行う会社名１４、作業者氏名１５を含む管理用のデータが格納されている札用無線タグ１６が組み込まれている。図では札用無線タグ１６が操作禁止札１１の裏面に貼り付けられている例を示したが、札に内蔵させるようにすることも可能である。
【００２２】
このような札用無線タグが組み込まれた操作禁止札の札用無線タグの格納データの読み出しは、いわゆるリーダライタを用いて電波送受信によって非接触で行うことができる。さて、このような札用無線タグが組み込まれた操作禁止札を現場で読取る際の状況を図２を参照して説明する。図のＡグループ、Ｂグループ、Ｃグループはそれぞれ図１２に示したグループに相当するもので、図１２と重複するところは図示並びに説明を省略する。
【００２３】
ここで、各グループに３個の操作禁止札１１ａ、１１ｂ、１１ｃが図示しない遮断器に対応して設置されている。各操作禁止札１１ａ、１１ｂ、１１ｃは、図６に示した構成と概略同一であって、それぞれに各種データが格納された無線タグが組み込まれているが、吊り紐は設けられていない。
【００２４】
これらの各グループの操作禁止札１１ａ、１１ｂ、１１ｃをリーダライタ１９でグループ毎に分離して読み取ろうとすると、例えば、図２のＢグループの操作禁止札１１ｂのデータを読む場合において、各グループが近接していることから、点線で示すように本来読み取ってはいけないＡグループやＣグループの操作禁止札１１ａのデータをも読取ってしまう。
【００２５】
そこで、本発明においては、図３に示すようにこれらの各グループの操作禁止札１１ａ、１１ｂ、１１ｃは、それぞれ第１フォルダ２０ａ、第２フォルダ２０ｂ、第３フォルダ２０ｃに格納されている。このフォルダ２０ａ、２０ｂ、２０ｃは上端が開口した箱状に形成されている。各フォルダ２０ａ、２０ｂ、２０ｃの前面には第1位置用無線タグ２１ａ、第２位置用無線タグ２１ｂ、第３位置用無線タグ２１ｃが装着されている。この第１位置用無線タグ〜第３位置用無線タグ２１ｃには、それぞれのフォルダの設置位置に相当する対応遮断器固有のデータや設置位置固有のデータなど各種データが格納されている。
【００２６】
なお、図３では、位置用無線タグは各フォルダに装着したが、他の手段としてフォルダに装着せずに、遮断器や位置の固有データが格納された位置無線タグが組み込まれた位置用固有札をフォルダ内に収納するようにしてもよい。
【００２７】
このような構成の元で、図３に示すように図示しない施設安全管理責任者がリーダライタ１９を所持して各グループの操作禁止札の確認・チェックを行う場合には、各遮断器に対応したグループ毎にフォルダ並びにフォルダ内に収納された操作禁止札のそれぞれに装着された無線タグのデータの読取りを行う。
【００２８】
いま、図３のＢグループの操作禁止札のチェックを行う場合を例に説明すると、リーダライタ１９によって、第２フォルダ２０ｂの前面に装着された第２位置用無線タグ２１ｂのデータを読取る。これによって、チェックすべき対象となる遮断器を特定することが可能となる。あわせてこの第２フォルダ２０ｂ内に収納された３個の操作禁止札１１ｂの無線タグに格納されている各種データを読取る。
【００２９】
このようにして、それぞれのグループ毎に同様な操作でチェックが行われるが、複数の操作禁止札はフォルダに収納されているため図３や図１２に示したようにばらばらにならず、それぞれのグループ毎にフォルダに収納されている操作禁止札のみが読取り対象となる。このために、リーダライタ１９からの電波強度は、各フォルダのみを読取り対象とする強度に設定すればよい。このようにして、隣接する操作禁止札が混在してデータの読取りが行われることもなく、正確なデータ読取りを可能とした。
【００３０】
図４には他の操作禁止札の例を示す。すなわち、Ａタイプ〜Ｄタイプの４種類の第１操作禁止札１１Ａ〜第４操作禁止札１１Ｄを示してあるが、各々の上端には各タイプ毎に位置をずらして第１表示タブ２２ａ〜第４表示タブ２２ｄが取着されている。これらの表示タブには各操作禁止札を識別するための文字あるいは色分けが付されている。また、操作禁止札１１Ａ〜１１Ｄにはそれぞれ位置をずらして無線タグ１６ａ〜１６ｄが組み込まれている。
【００３１】
このような操作禁止札をフォルダに収納した例を図５を参照して説明する。フォルダ２０内には図２に示したタイプの異なる３種類の第１操作禁止札１１Ａ、第２操作禁止札１１Ｂ、第３操作禁止札１１Ｃが収納されている。異なるタイプの操作禁止札を収納した結果、図のように操作禁止札上端に取着された第１表示タブ２２ａ、第２表示タブ２２ｂ、第３表示タブ２２ｃは前面から見たときに重なることがなく、作業者が自己の操作禁止札を取り出したりする際に見やすくなっており、誤って他の札を取り出すこともない。
【００３２】
更に、タイプの異なる操作禁止札１１Ａ〜１１Ｃを収納した結果、底面が平坦なフォルダ２０を前面から見たときに、それぞれの無線タグ１６ａ〜１６ｃは重ならない。この結果、図示しないリーダライタでデータ読取りを行う場合においても、全てのデータを正確に読取ることを可能とした。
【００３３】
図４に示した操作禁止札においては、タイプ毎に無線タグの位置をずらしていたが、一般的には同一箇所に無線タグを組み込むことが広く行われている。図６は、このような無線タグの位置が同一な操作禁止札であっても、データ読取りを誤動作なく正確に行うことを可能とした他のフォルダを示したものである。図５に示したフォルダ２０では底面が平坦であったが図６に示したフォルダ２３では、底面に階段状ステップ２４をフォルダ２３の前面２５に平行に形成する。
【００３４】
図７には、図６に示した底面に階段状ステップ２４を形成したフォルダ２３内に、無線タグ１６ａ、１６ｂ、１６ｃ、１６ｄが同一位置に組み込まれた操作禁止札１１を４個収納した例を示してある。各操作禁止札は、１個づつ階段状ステップ２４の各ステップ所に載置されるため、ステップの高さだけずれて収納される。この結果、同一位置に組み込まれた無線タグ１６ａ、１６ｂ、１６ｃ、１６ｄであったが、ステップの高さ分だけずれることになり、フォルダ２３の前面から図示しないリーダライタでデータ読取りを行う場合にも誤動作なく正確に読取ることが可能となった。
【００３５】
更に、各操作禁止札１１がずれて収納されることから、図７のように各々の上端が露出することになる。そこで、この露出した上端に各操作禁止札固有の情報を表記したり、色分けすることに利用することが可能となる。図７の例では各操作禁止札１１の上端に所属会社名を表記した。また、図４に示した表示タブ２２を省略することもできる。
【００３６】
図８は図７の断面であるが、各操作禁止札１１が階段状ステップ２４の各ステップ上に載置されている状態を示してある。また、図９には前述した階段状ステップに代えてフォルダ２３の底面に傾斜面２６を形成することも可能である。この場合には傾斜面２６はフォルダ２３の前面から奥に向かって傾斜しており、また、前面に平行に形成されている。この傾斜面は、フォルダ２３の底面に別個に形成してもよいが、底面自体を傾斜させてもよい。図１０には、図９に示した底面に傾斜面２６を形成したフォルダ２３内に操作禁止札１１を収納した例を示した断面図である。図のように複数の操作禁止札は傾斜の沿って前面から奥に向かってずれて収納されることになり、簡単な構成で図７の階段状ステップと同様の効果を得ることができる。
【００３７】
上述した例では操作禁止札を例に説明したが、この発明はこれに限定されることなく、それぞれに無線タグを組み込んだ複数の札を対象に一度にリーダライタによってデータ読取りを行う場合には適用可能である。
【図面の簡単な説明】
【００３８】
【図１】本発明に係る実施形態に用いる札の構成を示す図。
【図２】本発明に係る実施形態を説明するための構成図。
【図３】本発明に係る実施形態の示す構成図。
【図４】本発明に係る実施形態に用いる他の札の構成を示す図。
【図５】本発明に係る他の実施形態の要部を説明するための構成を示す図。
【図６】本発明に係る実施形態に用いる要部構成図。
【図７】本発明に係る実施形態を説明するための構成を示す図。
【図８】図７の断面図。
【図９】本発明に係る実施形態に用いる他の要部構成図。
【図１０】図９の断面図。
【図１１】従来の操作禁止札を示す図。
【図１２】従来技術を説明するための構成図。
【符号の説明】
【００３９】
１１…操作禁止札、１２…吊るし紐、１３…操作禁止マーク、１４…所属会社名、１５…作業者氏名、１６…札用無線タグ、１７…遮断器、１８…フック、１９…リーダライタ、２０、２３…フォルダ、２１…位置用無線タグ、２２…表示タブ、２４…階段状ステップ、２５…前面、２６…傾斜面。
【図１】
2006344157.tif 000003
【図２】
2006344157.tif 000004
【図３】
2006344157.tif 000005
【図４】
2006344157.tif 000006
【図５】
2006344157.tif 000007
【図６】
2006344157.tif 000008
【図７】
2006344157.tif 000009
【図８】
2006344157.tif 000010
【図９】
2006344157.tif 000011
【図１０】
2006344157.tif 000012
【図１１】
2006344157.tif 000013
【図１２】
2006344157.tif 000014